(57)【要約】【課題】ハンドピースの洗浄及び注油の際にヘッド部から排出されるオイルミストを大気中に放散させないようにし、かつハンドピースの把持部にオイルミストが付着しないようにする。【解決手段】ハンドピースの頭部を挿入しうる最小限の空間を有するキャップ本体部4の、開口部にハンドピース頭部を挿入しうると共に挿入したハンドピースの把持部外周を弾性力にて密封しうる挿入孔16を形成した弾性体からなるパッキン8を蓋体6を介して装脱自在に装着し、キャップ本体部の底部にフィルタ9を装着し、フィルタ装着部から外部に貫通する排出物の排出孔14を穿設したヘッドキャップ2を構成する。このヘッドキャップは、ハンドピースの頭部をパッキン中央の挿入孔から挿入して装着し、ハンドピースの後部から圧縮空気を供給する。圧縮空気はハンドピースの頭部からオイルミストとなって排出され、オイルミスト中の汚染物質はフィルタに付着して液状化して排出孔から排出される。同時に清浄化された空気は排出孔から大気中に放出される。【選択図】図１
2006026275.tif 000002
【特許請求の範囲】
【請求項１】
歯科用ハンドピースを洗浄・注油する際に生じるオイルミストの放散を防止するために、ハンドピースの頭部全体を覆いうる空間を有し、該空間の一方の側にハンドピースの頭部を挿入する開口部が形成されかつ該開口部外周に雄ネジが螺設され、他方の側に底部が形成されかつ該底部に前記空間に連なるフィルタ装着部及び該フィルタ装着部から外部に貫通する空気排出孔が設けられたキャップ本体部と、
前記キャップ本体部のハンドピース挿入側開口部外周に螺設された雄ネジに螺合する雌ネジが螺設され、該雌ねじを介して前記キャップ本体部に対して着脱自在に設けられると共に中央部にハンドピースの頭部を挿入しうる挿入孔が形成された環状の蓋体と、
ハンドピースの頭部を挿入し得ると共に挿入されたハンドピースの把持部外周を密封しうる挿入孔が中央に形成され、外周縁が前記キャップ本体の開口端部と蓋体との間にて前記雄ネジ及び雌ねじを介して着脱自在に挟持される弾性体からなる密閉部材と、
キャップ本体部のフィルタ装着部内に装脱自在に装着され、オイルミストを付着し分離するフィルタとから成ることを特徴とするヘッドキャップ。
【請求項２】
前記キャップ本体部内の空間は、ハンドピース頭部を挿入しうる最小限の容積であることを特徴とする請求項１記載のヘッドキャップ。
【請求項３】
前記キャップ本体部の1乃至複数箇所にハンドピースから空気と共に排出される排出物の排出孔を設けたことを特徴とする請求項１記載のヘッドキャップ。
【請求項４】
前記キャップ本体部と蓋体が耐熱性樹脂材から成ることを特徴とする請求項１記載のヘッドキャップ。
【請求項５】
前記密閉部材の中央に、中心点を通る放射状切り込みから成る挿入孔を設けたことを特徴とする請求項１記載のヘッドキャップ。
【請求項６】
前記ハンドピースの頭部に装着されたヘッドキャップの下方に、該ヘッドキャップから排出される排出物を受け止める排出物受止トレーを装脱自在に配設して成ることを特徴とする請求項１記載のヘッドキャップ。
【発明の詳細な説明】
【技術分野】
【０００１】
本発明は、歯科用ハンドピースを洗浄・注油する際に圧縮空気を用いることにより発生するオイルミストが大気中に放散することを防止する装置に関する。
【背景技術】
【０００２】
歯科ではハンドピースのメンテナンスとしてタービン等の内蔵部品を洗浄した後に回転部分にオイルを注油している。この場合の洗浄及び注油はハンドピースの把持部後部に位置する給気口から洗浄液またはオイルを圧縮空気と共に供給してタービンを活動化しつつ行われる。
また、洗浄や注油には専用の装置を用いる方法とスプレー缶を用いる方法とがある。装置を用いる従来の方法は図8に示すように開閉可能な蓋31を閉めることにより内部に大きな密閉空間32を形成するケース33内部に例えば3本のハンドピース34を突出させ、各ハンドピース34の後部から洗浄液やオイルを圧縮空気と共に供給してハンドピース34の頭部35から排出させることにより洗浄及び注油をするものである。この場合は、ハンドピースの頭部35から圧縮空気とオイルとが混合したオイルミストとなって排出され、このオイルミストがケース33内に充満するためにハンドピース34全体にオイルミストが付着してべたつくという問題がある。またケース33内は充満したオイルミストで圧力が高まり、オイルミストが隙間から周辺に放散したりするので、ファンにて強制的に大気中に排気するなどの策がとられている。
【０００３】
スプレー缶を用いる従来の方法は、図9に示すようにスプレー缶36をハンドピース34の後端部に装着すると共に、ハンドピース34の頭部をティッシュペーパ37で覆った状態にてスプレー缶36から圧縮空気を噴射するものであって、ハンドピース34の頭部をティッシュペーパ37で覆った程度ではオイルミストが大気中に放散されてしまう可能性がある。
【０００４】
またその他の例として、特許文献１に開示された発明が公知である。この発明は図10に示すようにオイルミストが外気に放散されないように、二つ割りにて広い密閉空間を形成する容器38にてハンドピース34の頭部35を覆うもので、広い密閉空間は圧縮空気の排出を容易にし、容器38内に排出されたオイルミスト39を容器内にて回収することにより大気中に放散されることを防ぐものである。なお容器38の一部にはハンドピースの頭部35を差し込んで把持部40の外周を密封可能にする弾性膜42にて開口部41が形成されている。
【０００５】
しかしながら、前記特許文献１に示される容器38は、洗浄及び注油の際に頭部35から圧縮空気と共に排出されるオイルミストが広い内部空間に充満することにより内圧が上昇して容器38の隙間、例えばハンドピース34の挿入口41などから洩れる可能性があるという問題がある。
【特許文献１】特開平７−４７０８４号公報
【発明の開示】
【発明が解決しようとする課題】
【０００６】
解決しようとする問題点は、ハンドピースの洗浄及び注油の際にヘッド部から排出されるオイルミストを大気中に放散させないようにし、かつハンドピースの把持部における広範囲にオイルミストが付着しないようにする点である。
【課題を解決するための手段】
【０００７】
本発明は、ハンドピースの洗浄・注油の際にハンドピースの頭部から排出されるオイルミストを大気中に放散させないようにするために、ハンドピースの頭部にオイルミスト放散防止用ヘッドキャップを装着して、ヘッドキャップに装着したフィルタにてオイルミストに含まれる物質と空気とを分離して清浄化した空気のみを大気中に放出することを特徴とする。なお分離された空気以外の物質はフィルタに付着して液状化し、ヘッドキャップの排出孔から滴下するので下方に配置した排出物受け止めトレーにて回収し廃棄する。
【発明の効果】
【０００８】
本発明のオイルミスト放散防止装置は、ハンドピースを洗浄及び注油をする際に発生するオイルミストに含まれる物質はフィルタに付着し分離して液状化する。液状化した物質は排出孔から滴下して回収される。分離して清浄化された空気は大気中に放出される。これにより大気が汚染されない。またヘッドキャップの内部空間は狭いために該空間に排出されたオイルミストは直にフィルタを通過する。これによりオイルミストに含まれる物質は効率よくフィルタに付着する。また本発明の装置はハンドピースの頭部のみを覆っているので把持部にはオイルミストが付着しない。これにより把持部がべたつかない。しかもヘッドキャップの内圧が上昇しないので排出孔以外の隙間、例えばハンドピースの挿入口などからオイルミストが洩れることはない。また密閉部材はハンドピースの頭部を繰り返し挿脱することにより消耗するが、蓋体を着脱することにより容易に交換することができる。
【０００９】
また一度に3本のハンドピースを取り付けて洗浄及び注油をする専用の装置を使用する場合は、3本のハンドピースの頭部それぞれにヘッドキャップを装着し、同時に下方に3本のハンドピースから排出される排出物をまとめて受け止める排出物受止トレーを配置することにより、ヘッドキャップから液状化して排出される排出物を排出物受止トレーにて受止め、溜まった液状の排出物を一度に廃棄処分することができる。これにより3本のハンドピースから排出される排出物を個々に処理する手間が省ける。
【００１０】
なお本願のヘッドキャップは小型で省スペース型になっているので専用の装置に取り付けた3本のハンドピースそれぞれにヘッドキャップを取り付けてもスペース上の問題が生じない。またフィルタはフィルタ装着部内に嵌め込んであるだけなので蓋体を外し、ピンセット等にて容易に取り出して交換することができる。また密閉部材も蓋体を外すことにより容易に交換することができる。更にヘッドキャップは耐熱性樹脂材からなるので滅菌処理をすれば繰り返し使用することができる。
【発明を実施するための最良の形態】
【００１１】
オイルミストを大気中に放散させないという目的を、ハンドピースの頭部にオイルミスト放散防止用ヘッドキャップを装着することでオイルミストに含まれる物質を分離し、清浄化された空気を大気中に放出することを実現した。
【実施例】
【００１２】
図1から図7は,本発明の実施例に係り、図1はオイルミスト放散防止装置の一部断面図、図2はヘッドキャップの排出孔を示す断面図、図3はパッキンの切欠形挿入孔を示す図、図4から図7はパッキン装着部の各種例を示す図である。
【００１３】
本発明のオイルミスト放散防止用ヘッドキャップは、図1に示すように、キャップ本体部4と、キャップ本体部4にネジ5a,5bを介して螺合する蓋体6と、キャップ本体部4と蓋体6にて挟持されるシールリング7及び密閉部材であるパッキン8と、キャップ本体部4の底部4aに装着したフィルタ9とから成る。
【００１４】
キャップ本体部4は、一方の側にハンドピース1の頭部10を挿入し得る開口部11が形成され、他方の側に底部4aが形成されていて、内部にハンドピース1の頭部10全体を覆い得る最小限の空間12が設けられた有底筒体に形成され、かつ底部4aに空間12に連なるフィルタ装着部13が形設され、該フィルタ装着部13から外部に貫通する排出孔14が穿設されている。
【００１５】
また、キャップ本体部4は、ハンドピース1の頭部10の挿入側開口部11の外周に蓋体6を螺合する雄ネジ5aが設けられ、フィルタ装着部13にはフィルタ9が装着されている。フィルタ装着部13から外部に貫通する排出孔14の大きさは、フィルタ9にて液状化された物質15が高速の空気流にて再びオイルミストにならないように、十分に減速し得る口径に設定されている。
【００１６】
因みに排出孔14の面積は、小さいとヘッドキャップ2の内圧が高くなってヘッドキャップ2自身が抜けたり、オイルミストが外部に洩れたりする恐れがあるので、内圧を低減して適切な空気排出速度になる面積に設定する。また排出孔14の配置は、１箇所にすると排出面積が大きくなってフィルタ9が吹き飛ばされる恐れがあるので、本実施例では図2に示すように３箇所に分散して各排出孔14の面積を小さくしている。なお本実施例では排出孔を円形にしているが円形に限らず楕円形や細長の穴など各種形状に形成することができる。
【００１７】
蓋体6は、キャップ本体部4の開口部11外周に設けられた雄ネジ5aに螺合しうる雌ネジ5bが螺設され、中央部にハンドピース1の頭部10を挿入し得る挿入孔16が開口している。なお前記キャップ本体4及び蓋体6は耐熱性樹脂材にて形成されているので、135℃の温度で滅菌処理しても問題が無く、繰り返し使用することができる。なお本実施例ではキャップ本体部11側を雄ねじ、蓋体6側を雌ネジとして螺合させたが、雄ねじと雌ネジは前記両者のいずれの側であってもよい。
密閉部材であるパッキン8は、外径が蓋体の雌ねじ内径と略同等であり、中央部にハンドピース1の頭部10の挿脱を可能にする挿入孔18が設けられており、この挿入孔18は挿入されたハンドピース1の把持部17外周を密封し得るべく把持部17の外径より小さい径に形成されている。
【００１８】
またパッキン8には耐熱性及び弾力性に富んだシリコン樹脂にて円板状に形成されているので、中央に開口した小さな挿入孔18に対してハンドピース1の頭部10を強引に挿脱することが可能である。しかも挿入後には挿入孔18の内周が弾性力にてハンドピース1の把持部17外周に密着し密封することが可能である。なおパッキン8の材質は前記したシリコン樹脂に限らず、テフロン（登録商標）など135℃以上の耐熱性、即ち、ヘッドキャップ2の滅菌処理温度に耐えうる耐熱性を有し、かつハンドピース1の頭部10を装脱し得る弾力性を有すれば使用可能である。
【００１９】
そしてこのパッキン8の使用に際しては、A部の詳細図である図4に示すように、先ず蓋体6にシールリング7を挿着した後、パッキン8を挿着して蓋体6とキャップ本体部4との間にてネジ5a,5bを介して締め付ける。これによりパッキン8の外周が不動かつ気密保持可能な状態にて固定される。
なおパッキン8の中央に形成された挿入孔18は円形に限らず、図3に示すように中心を通る放射状の切欠形挿入孔19に形成してもよい。またパッキン8は消耗品であるので蓋体6をキャップ本体部4から外すことにより容易に交換することができる。それからシールリング7はパッキン8の締め付け効果及び蓋体6との相互間における滑り効果が得られる耐熱性硬質樹脂材を用いている。
【００２０】
それから、パッキン装着部Aは,滑り抵抗を増してパッキンを確実に装着するために図4から図7に示す各種の構成が考えられる。
図4の場合は、キャップ本体部4の端面及びシールリング7の相互に雄雌の顎部20a,20bを形成し、両顎部20a,20bの相互間にて角型に挟持するものである。図5の場合は、キャップ本体部4の端面は平面23とし、シールリング7の両面に同心円の鋸歯状溝21a,21bを形成したもので、鋸歯状溝21にて 押さえ込むものである。なおシールリング7は表裏ともに鋸歯状溝21を形成してどちらの面でも使用できるようにしたものである。図6は前記図5の構成に加えてキャップ本体4の端面にも鋸歯状溝21cを同心円状に形成したもので、更に強力に固定するものである。図7はキャップ本体部4の端面及びシールリングの両面に同心円状の断面半円形雄雌の単溝22a,22bを形成し、この両者にて挟持するものである。
なお、装着部Aの構成は上記例に限定されるものではない。
【００２１】
またフィルタ9はスポンジ状の材質で、その外径がキャップ本体部4のフィルタ装着部13の内径より大きめに形成されているので装着部13に押し込むだけで装着が可能となる。装着されたフィルタ9は消耗品であるので使用に耐えない時点で蓋体6を外してピンセット等にて抜き取ることにより容易に交換することができる。なお本発明実施例では、フィルタ9がヘッドキャップ2の先端部分に装着されているが、先端部分に限らずフィルタ9によりオイルミストが分離されて液状化した排出物をヘッドキャップ2の外に排出することができる位置であれば如何なる位置でもよい。
【００２２】
また、ヘッドキャップ2から排出される液状排出物を受止めるためにヘッドキャップ2の下方に排出物受止トレー3を配設する。排出物受止トレーは、例えば洗浄及び注油をする装置が3本のハンドピース1を装着し得る物である場合に、3本のハンドピース1から排出される液状排出物を同時に受止め得る長方形に形成され、それぞれのハンドピース1から排出される排出物を一つのトレーに溜めて一度に廃棄処分することができるようにしている。これにより個々のハンドピース1ごとに排出物を処理する手間が省ける。
【００２３】
上記構成のオイルミスト放散防止用ヘッドキャップ2は、先ずヘッドキャップ2に対してハンドピース1の頭部10をパッキン8の弾性力に抗して強引に挿入する。これによりハンドピース1の把持部17の外周がパッキン8の挿入孔18内周にて密封される。次にハンドピース1の後部から圧縮空気を供給する。これにより圧縮空気は頭部10から汚染物質やオイルを含んだオイルミストとなって排出される。このオイルミストは、キャップ本体部4の内部空間12が狭いために空間内に停滞することなく直にフィルタ9を通過し含有する物質がフィルタ9に効率的に付着して液状化される。液状化された汚染物質15は排出孔14から滴下してヘッドキャップ2の外に排出され、下方に配設された排出物受止トレー3に溜まる。一方、汚染物質15が分離されて清浄化された空気は排出孔14から大気中に放出される。これにより大気は汚染されない。
【００２４】
このとき、排出する空気の流速は排出孔の面積が十分に大きく設定されていることによりヘッドキャップ2内の空気圧は低下し、空気流は減速されるので液状化された物質が再びオイルミストになる恐れはない。以上によりオイルミストがヘッドキャップ2内に停滞しない。これにより本発明のヘッドキャップ２に覆われたハンドピース1の頭部10にはティッシュペーパなどで軽く拭き取れる程度にオイルミストが薄く付着するが従来のように頭部10から把持部17に至る広範囲に濃く付着することはない。液状化された排出物15は排出孔14から排出され、下方に配設された排出物受止トレー3に滴下して回収され、廃棄される。これにより複数のハンドピース1から排出される排出物を個々に廃棄処理する手間が省ける。
【００２５】
ハンドピース1の洗浄及び注油が終了した後は、ハンドピース１をヘッドキャップ2から抜き取る。ヘッドキャップ2は135℃にて滅菌処理をすることにより繰り返し使用できる。またフィルタ9及びパッキン8は消耗品であるので使用に耐えない時点で蓋体6を外して交換する。
【００２６】
以上において、洗浄及び注油にスプレー缶を用いる場合は、ヘッドキャップ2の排出孔14に対して、着脱自在かつフィルタ9にてろ過された圧縮空気を排出孔14から逃がす開口部を有する図示しない排出物受止ボックスを設けることにより、排出物受止めトレー3を用意することなく洗浄及び注油をすることが可能となる。なお排出物受止ボックスを設けずにヘッドキャップ2の排出孔14をティッシュペーパにて覆うことにより排出物を受止めることもできる。
【図面の簡単な説明】
【００２７】
【図１】オイルミスト放散防止装置の一部断面図である。
【図２】ヘッドキャップの排出孔を示す断面図である。
【図３】パッキンの切欠形挿入孔を示す図である。
【図４】パッキン装着部の各種例を示す図である。
【図５】パッキン装着部の各種例を示す図である。
【図６】パッキン装着部の各種例を示す図である。
【図７】パッキン装着部の各種例を示す図である。
【図８】従来のハンドピース洗浄及び注油装置の説明図である。
【図９】従来のハンドピース洗浄及び注油装置の説明図である。
【図１０】従来のハンドピース洗浄及び注油装置の説明図である。
【符号の説明】
【００２８】
1  ハンドピース
2  ヘッドキャップ
3  排出物受止トレー
4  キャップ本体部
5  ネジ
6  蓋体
7  シールリング
8  パッキン
9  フィルタ
10  頭部
11  開口部
12  空間
13  フィルタ装着部
14  排出孔
15  液状化された物質
16、18  挿入孔
17  ハンドピースの把持部
19 放射状切り込み
20 顎部
21 鋸歯状溝
22 単溝
23 平面
【図１】
2006026275.tif 000003
【図２】
2006026275.tif 000004
【図３】
2006026275.tif 000005
【図４】
2006026275.tif 000006
【図５】
2006026275.tif 000007
【図６】
2006026275.tif 000008
【図７】
2006026275.tif 000009
【図８】
2006026275.tif 000010
【図９】
2006026275.tif 000011
【図１０】
2006026275.tif 000012